(57)【要約】【課題】自重で取付レールから滑り落ちず且つ取付レール上をスライド可能な配線用遮断器を得ること。【解決手段】配線用遮断器１は、取付レール２に背面側が着脱可能に取り付けられる配線用遮断器であって、固定係合部１２と、可動係合部２０と、押さえ板３０とを備える。固定係合部１２は、取付レール２に設けられた一対の張出部４，５のうち一方の張出部４に係合する。可動係合部２０は、一対の張出部４，５のうち他方の張出部５に係脱可能に係合する。押さえ板３０は、固定係合部１２および可動係合部２０に向かう方向に付勢され、固定係合部１２および可動係合部２０に一対の張出部４，５を押しつける。【選択図】図３
2020107580.tif 000002
【特許請求の範囲】
【請求項１】
取付レールに背面側が着脱可能に取り付けられる配線用遮断器であって、
前記取付レールに設けられた一対の張出部のうち一方の張出部に係合する固定係合部と、
前記一対の張出部のうち他方の張出部に係脱可能に係合する可動係合部と、
前記固定係合部および前記可動係合部に向かう方向に付勢され、前記固定係合部および前記可動係合部に前記一対の張出部を押しつける押さえ板と、を備える
ことを特徴とする配線用遮断器。
【請求項２】
前記押さえ板を付勢する１以上の押しバネを備える
ことを特徴とする請求項１に記載の配線用遮断器。
【請求項３】
前記押さえ板を付勢する複数の板バネを備える
ことを特徴とする請求項１に記載の配線用遮断器。
【発明の詳細な説明】
【技術分野】
【０００１】
本発明は、取付レールに背面側が着脱可能に取り付けられる配線用遮断器に関する。
【背景技術】
【０００２】
配線用遮断器は、例えば、分電盤に設置される際、分電盤の接地面に固定された取付レールに取り付けられる。取付レールには、ＩＥＣ（International  Electrotechnical  Commission）レールなどの金属製のレールが用いられる。ＩＥＣレールは、ＤＩＮ（Deutsche  Industrie  Normen）レールとも呼ばれている。
【０００３】
配線用遮断器には、取付レールに設けられた一対の張出部に係合する一対の係合部が設けられている。例えば、特許文献１には、取付レールにおける一方の張出部と係合する係合部と、取付レールにおける他方の張出部に係脱可能に先端が係合するレールホルダとを備える配線用遮断器が開示されている。
【先行技術文献】
【特許文献】
【０００４】
【特許文献１】特開平９−７４８６号公報
【発明の概要】
【発明が解決しようとする課題】
【０００５】
特許文献１に記載の配線用遮断器では、レールホルダがバネによって係合部に向けて付勢されており、配線用遮断器が取付レールを保持する力であるレール保持力は、レールホルダに取り付けられたバネの荷重に依存する。
【０００６】
配線用遮断器は、施工性の観点から、取付レール上をスライド可能であることが求められる一方で、鉛直方向に沿って取付レールが取り付けられている場合には、自重で取付レールから滑り落ちないことが求められる。しかしながら、特許文献１に記載の配線用遮断器では、取付レール上をスライド可能になるようにレール保持力を選定すると、自重で取付レールから滑り落ちる可能性がある。
【０００７】
本発明は、上記に鑑みてなされたものであって、自重で取付レールから滑り落ちず且つ取付レール上をスライド可能な配線用遮断器を得ることを目的とする。
【課題を解決するための手段】
【０００８】
上述した課題を解決し、目的を達成するために、本発明の配線用遮断器は、取付レールに背面側が着脱可能に取り付けられる配線用遮断器であって、固定係合部と、可動係合部と、押さえ板とを備える。固定係合部は、取付レールに設けられた一対の張出部のうち一方の張出部に係合する。可動係合部は、一対の張出部のうち他方の張出部に係脱可能に係合する。押さえ板は、固定係合部および可動係合部に向かう方向に付勢され、固定係合部および可動係合部に一対の張出部を押しつける。
【発明の効果】
【０００９】
本発明によれば、自重で取付レールから滑り落ちず且つ取付レール上をスライド可能な配線用遮断器を得ることができる、という効果を奏する。
【図面の簡単な説明】
【００１０】
【図１】本発明の実施の形態１にかかる取付レールに取り付けられた状態の配線用遮断器を示す外観斜視図
【図２】実施の形態１にかかる配線用遮断器の分解斜視図
【図３】実施の形態１にかかる取付レールに取り付けられた状態の配線用遮断器を示す側面図
【図４】実施の形態１にかかる取付レールに取り付けられた状態の配線用遮断器の一部を示す背面図
【図５】実施の形態１にかかる配線用遮断器を取付レール上でスライドさせるための操作を説明するための図
【図６】本発明の実施の形態２にかかる配線用遮断器における押さえ板と押しバネとの関係を示す図
【図７】本発明の実施の形態３にかかる配線用遮断器における押さえ板と板バネとの関係を示す図
【図８】図７に枠で示す領域の拡大図
【発明を実施するための形態】
【００１１】
以下に、本発明の実施の形態にかかる配線用遮断器を図面に基づいて詳細に説明する。なお、この実施の形態によりこの発明が限定されるものではない。
【００１２】
実施の形態１．
図１は、本発明の実施の形態１にかかる取付レールに取り付けられた状態の配線用遮断器を示す外観斜視図である。図２は、実施の形態１にかかる配線用遮断器の分解斜視図である。図１に示すように、実施の形態１にかかる配線用遮断器１は、背面側が取付レール２に取り付けられる。
【００１３】
取付レール２は、断面Ｕ字状のベース部３と、ベース部３における一対の端部から張り出した一対の張出部４，５とを備える。かかる取付レール２は、ＩＥＣレールなどの金属製のレールであり、ＩＥＣレールは、ＤＩＮレールとも呼ばれている。
【００１４】
配線用遮断器１は、過電流または短絡電流から配線を保護する遮断器であり、ＭＣＣＢ（Molded  Case  Circuit  Breakers）とも呼ばれる。かかる配線用遮断器１は、取付レール２に背面１８側が着脱可能に取り付けられる。
【００１５】
配線用遮断器１は、遮断器本体１０と、可動係合部２０と、押さえ板３０とを備える。遮断器本体１０は、過電流または短絡電流を検出した場合に電路を遮断する構成を有しており、正面１７側には電路の開閉を行うための操作ハンドル１１が設けられている。遮断器本体１０は、図２に示すように、ベース部１４とカバー部１５とを含む筐体１３を有しており、かかる筐体１３内に、過電流または短絡電流を検出した場合に電路を遮断する構成を有している。
【００１６】
遮断器本体１０には、取付レール２の張出部４と係合するための固定係合部１２が背面１８側に設けられる。かかる固定係合部１２は、筐体１３の背面１８側に設けられる。また、遮断器本体１０は、可動係合部２０を背面１８側で移動可能に取り付ける構成を有している。具体的には、ベース部１４とカバー部１５とは互いに対向する方向に突出する一対の突出部１４ａ，１５ａを有しており、かかる突出部１４ａ，１５ａによって、可動係合部２０が遮断器本体１０に移動可能に保持される。可動係合部２０は、遮断器本体１０に移動可能に保持される本体部２１と、本体部２１に連続する係合爪２２とを備えており、かかる係合爪２２が取付レール２の張出部５に係合する。
【００１７】
押さえ板３０は、固定係合部１２および可動係合部２０に向かう方向に付勢されており、図１に示すように、固定係合部１２および可動係合部２０に一対の張出部４，５を押しつける。これにより、取付レール２に配線用遮断器１が保持される。なお、可動係合部２０は、固定係合部１２との対向方向に移動可能に遮断器本体１０に取り付けられている。かかる可動係合部２０を固定係合部１２から遠ざかる方向に移動させることで、張出部５との係合を解除することができ、配線用遮断器１を取付レール２から取り外すことができる。なお、可動係合部２０は、図１に示す状態で遮断器本体１０と係合しており、かかる係合を解除することで可動係合部２０を固定係合部１２から遠ざかる方向に移動させることができる。
【００１８】
可動係合部２０は、弾力性を有している。そのため、可動係合部２０は、図１に示す状態において、遮断器本体１０の固定係合部１２側に向かう方向に弾性力を有し、常に遮断器本体１０の固定係合部１２に荷重がかかっている。
【００１９】
押さえ板３０は、押しバネ４０によって付勢された状態で、遮断器本体１０に移動可能に配置される。具体的には、押さえ板３０のうち筐体１３の背面１８と対向する面に設けられた窪み３１に押しバネ４０の一端が取り付けられ、筐体１３の背面１８に設けられた窪み５０に押しバネ４０の他端が取り付けられる。そして、押さえ板３０とベース部１４との間に押しバネ４０が取り付けられた状態で、ベース部１４にカバー部１５が取り付けられることで、押さえ板３０が押しバネ４０によって付勢された状態で遮断器本体１０に移動可能に配置される。
【００２０】
なお、押さえ板３０は、ベース部１４にカバー部１５が取り付けられると、ベース部１４とカバー部１５とによって挟み込まれる状態になるため、ベース部１４にカバー部１５が取り付けられた後において、押さえ板３０は筐体１３から脱落しない。
【００２１】
ここで、取付レール２への配線用遮断器１の取り付け状態について説明する。図３は、実施の形態１にかかる取付レールに取り付けられた状態の配線用遮断器を示す側面図であり、図４は、実施の形態１にかかる取付レールに取り付けられた状態の配線用遮断器の一部を示す背面図である。
【００２２】
図３および図４に示すように、配線用遮断器１が取付レール２へ取り付けられた状態では、取付レール２の張出部４の一方の面４ａは、固定係合部１２と係合し、取付レール２の張出部５の一方の面５ａは、可動係合部２０の係合爪２２と係合している。また、取付レール２の張出部４の他方の面４ｂと取付レール２の張出部５の他方の面５ｂは、押さえ板３０に当接し、押しバネ４０によって付勢された押さえ板３０によって押される。
【００２３】
そのため、配線用遮断器１に外力が働いていない場合、押しバネ４０による保持力によって、張出部４，５と、固定係合部１２および可動係合部２０との係合が維持される。延伸方向が鉛直方向に沿って取り付けられた取付レール２に配線用遮断器１を取り付けた場合でも、配線用遮断器１が自重で取付レール２を滑り落ちない保持力を有する押しバネ４０を選定することで、配線用遮断器１が自重で取付レール２を滑り落ちることを防止することができる。
【００２４】
次に、配線用遮断器１を取付レール２上でスライドさせる操作について説明する。図５は、実施の形態１にかかる配線用遮断器を取付レール上でスライドさせるための操作を説明するための図である。
【００２５】
取付レール２に取り付けられた配線用遮断器１を取付レール２の延伸方向にスライドさせる場合、まず、取付レール２に取り付けられた配線用遮断器１の正面１７を取付レール２に向けて押す。これにより、図５に示すように、押さえ板３０が取付レール２によって押され、押さえ板３０に取り付けられた押しバネ４０が縮む。
【００２６】
そのため、取付レール２が配線用遮断器１の正面１７へ向けて移動し、取付レール２における一対の張出部４，５が固定係合部１２および可動係合部２０から離れる。これにより、張出部４，５と固定係合部１２および可動係合部２０との係合が解除され、取付レール２に沿って配線用遮断器１を容易にスライドさせることが可能となる。
【００２７】
このように、配線用遮断器１に外力が働かない場合には、取付レール２に対して平行な方向の荷重および垂直な方向の荷重が取付レール２に加わって、配線用遮断器１が取付レール２に固定される。したがって、配線用遮断器１が自重で取付レール２から滑り落ちることを防止することができる。また、配線用遮断器１の正面１７を取付レール２に対して垂直な方向に押すことで、取付レール２は平行な方向の荷重から解放される。したがって、配線用遮断器１では、取付レール２へ向けて配線用遮断器１を押すことで、取付レール２に対する配線用遮断器１の保持力を調整することができ、所望のタイミングで取付レール２上を容易にスライドすることができる。
【００２８】
以上のように、実施の形態１にかかる配線用遮断器１は、取付レール２に背面１８側が着脱可能に取り付けられる配線用遮断器であって、固定係合部１２と、可動係合部２０と、押さえ板３０とを備える。固定係合部１２は、取付レール２に設けられた一対の張出部４，５のうち一方の張出部４に係合する。可動係合部２０は、一対の張出部４，５のうち他方の張出部５に係脱可能に係合する。押さえ板３０は、固定係合部１２および可動係合部２０に向かう方向に付勢され、固定係合部１２および可動係合部２０に一対の張出部４，５を押しつける。これにより、鉛直方向に沿って取り付けられた取付レール２に配線用遮断器１が取り付けられた場合であっても、配線用遮断器１が自重で取付レール２から滑り落ちず、また、配線用遮断器１を押すことで取付レール２上を容易にスライドすることができる。
【００２９】
また、押さえ板３０は、押しバネ４０によって付勢されるため、複雑な構成を配線用遮断器１に持たせることなく、取付レール２に対する調整可能な保持力を配線用遮断器１に持たせることができる。
【００３０】
実施の形態２．
実施の形態２では、複数の押しバネの弾性力を利用して押さえ板を付勢する点で、１つの押しバネの弾性力を利用して押さえ板を付勢する実施の形態１と異なる。以下においては、実施の形態１にかかる配線用遮断器１と同様の構成については同一符号を付して説明を省略し、実施の形態１にかかる配線用遮断器１と異なる構成について主に説明するものとする。
【００３１】
図６は、本発明の実施の形態２にかかる配線用遮断器における押さえ板と押しバネとの関係を示す図である。図６に示すように、実施の形態２にかかる配線用遮断器１Ａの押さえ板３０Ａには、押さえ板３０Ａの長手方向において、固定係合部１２寄りの位置と可動係合部２０寄りの位置とに、窪み３１ａと窪み３１ｂとが形成されている。また、配線用遮断器１Ａにおける筐体１３Ａの背面１８Ａには、窪み５０ａ，５０ｂが形成されている。
【００３２】
なお、遮断器本体１０Ａは、窪み５０に代えて、２つの窪み５０ａ，５０ｂが形成されている点で、遮断器本体１０と異なる。また、押さえ板３０Ａは、窪み３１に代えて、２つの窪み３１ａ，３１ｂが形成されている点で、押さえ板３０と異なる。
【００３３】
押しバネ４０ａは、一端が押さえ板３０Ａの窪み３１ａに取り付けられ、他端が筐体１３Ａの窪み５０ａに取り付けられる。また、押しバネ４０ｂは、一端が押さえ板３０Ａの窪み３１ｂに取り付けられ、他端が筐体１３Ａの窪み５０ｂに取り付けられる。これにより、押さえ板３０Ａは、２つの押しバネ４０ａ，４０ｂによって固定係合部１２および可動係合部２０へ向かう方向へ付勢される。
【００３４】
このように、実施の形態２にかかる配線用遮断器１Ａでは、２つの押しバネ４０ａ，４０ｂによって押さえ板３０Ａが固定係合部１２および可動係合部２０へ向かう方向に付勢されている。そして、押しバネ４０ａは固定係合部１２寄りの位置に配置され、押しバネ４０ｂは可動係合部２０寄りの位置に配置される。そのため、配線用遮断器１Ａの正面１７を取付レール２へ向けて押す際に、押さえ板３０Ａが傾くことを抑制することができる。なお、図６に示す例では、押しバネの数は２つであるが、押しバネの数は３つ以上であってもよい。
【００３５】
以上のように、実施の形態２にかかる配線用遮断器１Ａでは、押さえ板３０Ａは、複数の押しバネ４０ａ，４０ｂによって付勢されるため、配線用遮断器１Ａを押す際に、押さえ板３０Ａが傾くことを抑制することができる。そのため、配線用遮断器１Ａの正面１７を取付レール２へ向けて押した場合に、固定係合部１２および可動係合部２０の一方が一対の張出部４，５の一つと係合した状態になることを抑制することができ、配線用遮断器１Ａを取付レール２に沿って精度よくスライドさせることができる。
【００３６】
実施の形態３．
実施の形態３は、板バネの弾性力を利用して押さえ板を付勢する点で、押しバネの弾性力を利用して押さえ板を付勢する実施の形態１，２と異なる。以下においては、実施の形態１にかかる配線用遮断器１と同様の構成については同一符号を付して説明を省略し、実施の形態１にかかる配線用遮断器１と異なる構成について主に説明するものとする。
【００３７】
図７は、本発明の実施の形態３にかかる配線用遮断器における押さえ板と板バネとの関係を示す図である。図８は、図７に枠で示す領域の拡大図である。図７および図８に示すように、実施の形態３にかかる配線用遮断器１Ｂの押さえ板３０Ｂには、押さえ板３０Ｂの長手方向において、固定係合部１２寄りの位置と可動係合部２０寄りの位置とに、窪み３２ａと窪み３２ｂとが形成されている。また、配線用遮断器１Ｂにおける筐体１３Ｂの背面１８Ｂには、窪み５１ａ，５１ｂが形成されている。
【００３８】
なお、遮断器本体１０Ｂは、窪み５０に代えて、窪み５１ａ，５１ｂが形成されている点で、遮断器本体１０と異なる。また、押さえ板３０Ｂは、窪み３１に代えて、窪み３２ａ，３２ｂが形成されている点で、押さえ板３０と異なる。
【００３９】
板バネ４１ａは、一端が押さえ板３０Ｂの窪み３２ａに取り付けられ、他端が筐体１３Ｂの窪み５１ａに取り付けられる。また、板バネ４１ｂは、一端が押さえ板３０Ｂの窪み３２ｂに取り付けられ、他端が筐体１３Ｂの窪み５１ｂに取り付けられる。これにより、押さえ板３０Ｂは、２つの板バネ４１ａ，４１ｂによって固定係合部１２および可動係合部２０へ向かう方向へ付勢される。
【００４０】
このように、実施の形態３にかかる配線用遮断器１Ｂでは、２つの板バネ４１ａ，４１ｂによって押さえ板３０Ｂが固定係合部１２および可動係合部２０へ向かう方向に付勢されている。そして、板バネ４１ａは固定係合部１２寄りの位置に配置され、板バネ４１ｂは可動係合部２０寄りの位置に配置される。そのため、配線用遮断器１Ｂの正面１７を取付レール２へ向けて押す際に、押さえ板３０Ｂが傾くことを抑制することができる。なお、図７および図８に示す例では、板バネの数は２つであるが、板バネの数は３つ以上であってもよい。
【００４１】
以上のように、実施の形態３にかかる配線用遮断器１Ｂでは、押さえ板３０Ｂは、複数の板バネ４１ａ，４１ｂによって付勢されるため、配線用遮断器１Ｂを押す際に、押さえ板３０Ｂが傾くことを抑制することができる。そのため、配線用遮断器１Ｂの正面１７を取付レール２へ向けて押した場合に、固定係合部１２および可動係合部２０の一方が一対の張出部４，５の一つと係合した状態になることを抑制することができ、配線用遮断器１Ｂを取付レール２に沿って精度よくスライドさせることができる。
【００４２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４３】
１，１Ａ，１Ｂ  配線用遮断器、２  取付レール、３  ベース部、４，５  張出部、４ａ，４ｂ，５ａ，５ｂ  面、１０，１０Ａ，１０Ｂ  遮断器本体、１１  操作ハンドル、１２  固定係合部、１３，１３Ａ，１３Ｂ  筐体、１４  ベース部、１４ａ，１５ａ  突出部、１５  カバー部、１７  正面、１８，１８Ａ，１８Ｂ  背面、２０  可動係合部、２１  本体部、２２  係合爪、３０，３０Ａ，３０Ｂ  押さえ板、３１，３１ａ，３１ｂ，３２ａ，３２ｂ，５０，５０ａ，５０ｂ，５１ａ，５１ｂ  窪み、４０，４０ａ，４０ｂ  押しバネ、４１ａ，４１ｂ  板バネ。
【図１】
2020107580.tif 000003
【図２】
2020107580.tif 000004
【図３】
2020107580.tif 000005
【図４】
2020107580.tif 000006
【図５】
2020107580.tif 000007
【図６】
2020107580.tif 000008
【図７】
2020107580.tif 000009
【図８】
2020107580.tif 000010